(57)【要約】【課題】住宅のバルコニーや屋上等の屋外に面する床の防水層の改修について、どのように改修が行われるのか展示することができる防水改修展示構造を提供すること。【解決手段】矩形平板状の基台２と、防水層の改修の際に床から撤去すべき部分を撤去した後に露出する既存下地を模した既存下地展示部３と、既存下地に対して下地処理が施された後の様子を模した下地処理展示部４と、下地処理が施された既存下地の上に新たに形成される新設防水層を模した新設防水層展示部５と、を備え、既存下地展示部３、下地処理展示部４及び新設防水層展示部５は、既存下地展示部３、下地処理展示部４及び新設防水層展示部５の順番に、それぞれが段階的に露出するように基台２の上に設けられることを特徴とする防水改修展示構造１。【選択図】図１
2020046589.tif 000002
【特許請求の範囲】
【請求項１】
屋外に面する床の防水層の改修についての展示構造であって、
矩形平板状の基台と、
前記防水層の改修の際に前記床から撤去すべき部分を撤去した後に露出する既存下地を模した既存下地展示部と、
前記既存下地に対して下地処理が施された後の様子を模した下地処理展示部と、
前記下地処理が施された前記既存下地の上に新たに形成される新設防水層を模した新設防水層展示部と、
を備え、
前記既存下地展示部、前記下地処理展示部及び前記新設防水層展示部は、前記既存下地展示部、前記下地処理展示部及び前記新設防水層展示部の順番に、それぞれが段階的に露出するように前記基台の上に設けられることを特徴とする防水改修展示構造。
【請求項２】
前記既存下地展示部は、少なくとも表面にエイジング加工が施されていることを特徴とする請求項１に記載の防水改修展示構造。
【請求項３】
前記床の表面を形成する床仕上げ材を模した床仕上げ展示部を備え、
前記床仕上げ展示部は、前記基台の一方の長辺を除く他方の長辺及び両短辺の３辺に沿うようにして、前記基台の上の周縁部に設けられることを特徴とする請求項１または請求項２に記載の防水改修展示構造。
【請求項４】
前記床の外周部に設けられる手すり壁を模した手すり壁展示部と、
前記手すり壁の上端部に設けられる笠木を模した笠木展示部と、
を備え、
前記手すり壁展示部は、前記基台の両側の短辺部から略垂直に立ち上がるようにそれぞれ設けられ、
前記笠木展示部は、前記手すり壁展示部の上端部にそれぞれ設けられることを特徴とする請求項１から３のいずれか一項に記載の防水改修展示構造。
【請求項５】
一方の前記笠木展示部は、改修時に撤去される既存の笠木を模した既存笠木展示部であり、
他方の前記笠木展示部は、改修時に新たに設置される笠木を模した新設笠木展示部であることを特徴とする請求項４に記載の防水改修展示構造。
【発明の詳細な説明】
【技術分野】
【０００１】
本発明は、住宅のバルコニーや屋上等の屋外に面する床の防水層の改修について展示するための防水改修展示構造に関する。
【背景技術】
【０００２】
従来より、住宅展示場等の住宅に関する展示施設等に設置される展示構造で、壁や床等の住宅の構造の一部を切断して、完成後の住宅では壁や床等によって隠されて見えなくなる内部の構造を露出させる展示構造が提案されている（例えば、特許文献１参照）。このような展示構造によって、見学者は、通常では見ることのできない部分を実際に見て体感することができるため、単に写真を見たり説明を受けたりするよりも、より住宅についての理解を深めることができる。
【０００３】
一方、住宅のバルコニーや屋上等の屋外に面する床には、雨水等の屋内への漏水を防ぐため、防水層が備えられている。屋外に面する床は日光や雨風にさらされる部分であるため、適切に防水層が施工されていたとしても、気候、日光、雨風等の外的要因によって、次第に防水層の素材に経年劣化や成分の変化等が起こってしまう。そして、防水層の劣化が進み、ひび割れや破れが発生すると、その隙間から雨水等が入り込み、屋内に漏水したり住宅の構造材を痛めたりする原因となる。このように、防水層は、必ず劣化が起こってしまうため、定期的な改修が必要とされる。
【先行技術文献】
【特許文献】
【０００４】
【特許文献１】特開２００２−２９７０２３号公報
【発明の概要】
【発明が解決しようとする課題】
【０００５】
しかしながら、住宅の屋外に面する床の防水層は、一般的に、その上に床仕上げ材が施工されており、完成後の住宅では床仕上げ材によって隠されて見えない部分となっている。そのため、住宅の住人は、普段、防水層を目にすることがなく、防水層についての知識も乏しいので、屋内への漏水があるまで防水層が劣化していることに気付かないということも多い。そして、屋内への漏水が起こってしまった場合の防水層の改修は急を要することが多く、十分な検討を行うことができないまま改修業者に任せきりになることが多かった。従って、住宅において必然的な防水層の改修について、広く見学者に知らしめることができる、住宅に関する展示施設等に設置されるような展示構造が望まれていた。従来には特許文献１のような展示構造もあるが、これは新築の建築物の見えない部分の構造を露出させて見えるようにしただけであり、住宅の屋外に面する床に備えられた防水層がどのように改修されるのか展示することができるような展示構造はこれまでになかった。
【０００６】
本発明は上記事情に鑑みてなされたものであって、住宅のバルコニーや屋上等の屋外に面する床の防水層の改修について、どのように改修が行われるのか展示することができる防水改修展示構造を提供することを目的とする。
【課題を解決するための手段】
【０００７】
上記課題を解決するために、本発明に係る防水改修展示構造は、屋外に面する床の防水層の改修についての展示構造であって、矩形平板状の基台と、防水層の改修の際に床から撤去すべき部分を撤去した後に露出する既存下地を模した既存下地展示部と、既存下地に対して下地処理が施された後の様子を模した下地処理展示部と、下地処理が施された既存下地の上に新たに形成される新設防水層を模した新設防水層展示部と、を備え、既存下地展示部、下地処理展示部及び新設防水層展示部は、既存下地展示部、下地処理展示部及び新設防水層展示部の順番に、それぞれが段階的に露出するように基台の上に設けられることを特徴とする。
【０００８】
また、好ましくは、既存下地展示部は、少なくとも表面にエイジング加工が施されていることを特徴とする。
【０００９】
また、好ましくは、床の表面を形成する床仕上げ材を模した床仕上げ展示部を備え、床仕上げ展示部は、基台の一方の長辺を除く他方の長辺及び両短辺の３辺に沿うようにして、基台の上の周縁部に設けられることを特徴とする。
【００１０】
また、好ましくは、床の外周部に設けられる手すり壁を模した手すり壁展示部と、手すり壁の上端部に設けられる笠木を模した笠木展示部と、を備え、手すり壁展示部は、基台の両側の短辺部から略垂直に立ち上がるようにそれぞれ設けられ、笠木展示部は、手すり壁展示部の上端部にそれぞれ設けられることを特徴とする。
【００１１】
また、好ましくは、一方の笠木展示部は、改修時に撤去される既存の笠木を模した既存笠木展示部であり、他方の笠木展示部は、改修時に新たに設置される笠木を模した新設笠木展示部であることを特徴とする。
【発明の効果】
【００１２】
本発明に係る防水改修展示構造によると、矩形平板状の基台と、防水層の改修の際に床から撤去すべき部分を撤去した後に露出する既存下地を模した既存下地展示部と、既存下地に対して下地処理が施された後の様子を模した下地処理展示部と、下地処理が施された既存下地の上に新たに形成される新設防水層を模した新設防水層展示部と、を備え、既存下地展示部、下地処理展示部及び新設防水層展示部は、既存下地展示部、下地処理展示部及び新設防水層展示部の順番に、それぞれが段階的に露出するように基台の上に設けられることを特徴とするので、屋外に面する床の改修で新しい防水層が形成されるまでの工程を示す展示部が順番通りに段階的に露出するように並べられた構成となっているため、完成後の住宅では隠されて見えない部分である防水層の改修の様子を、実際に目で見て体験できるので、防水層の改修がどのように行われるのかを見学者により深く理解してもらうことができる。
【００１３】
また、好ましくは、既存下地展示部は、少なくとも表面にエイジング加工が施されていることを特徴とすることで、既存下地展示部が示す既存下地は防水層の改修までに年月の経過があるため、エイジング加工によって既存下地展示部の外観にリアル感を演出することができる。
【００１４】
また、好ましくは、床の表面を形成する床仕上げ材を模した床仕上げ展示部を備え、床仕上げ展示部は、基台の一方の長辺を除く他方の長辺及び両短辺の３辺に沿うようにして、基台の上の周縁部に設けられることを特徴とするため、床仕上げ展示部によって床のリアル感を演出することができると共に、床仕上げ展示部が基台の周縁部に設けられることで、既存下地展示部、下地処理展示部及び新設防水層展示部の各展示部を隠さずに展示でき、また、基台の一方の長辺側には床仕上げ展示部を設けていないので、その側から見学者に見学してもらうことで見学のしやすさも確保できる。
【００１５】
また、好ましくは、床の外周部に設けられる手すり壁を模した手すり壁展示部と、手すり壁の上端部に設けられる笠木を模した笠木展示部と、を備え、手すり壁展示部は、基台の両側の短辺部から略垂直に立ち上がるようにそれぞれ設けられ、笠木展示部は、手すり壁展示部の上端部にそれぞれ設けられることを特徴とするため、手すり壁展示部及び笠木展示部によって住宅のバルコニーを模した形状となっており、住宅では多くの場合にバルコニーが設けられていることから、見学者に自宅のバルコニーを想起させ、防水層の改修についてより具体的に想像してもらいやすくすることができる。
【００１６】
また、好ましくは、一方の笠木展示部は、改修時に撤去される既存の笠木を模した既存笠木展示部であり、他方の笠木展示部は、改修時に新たに設置される笠木を模した新設笠木展示部であることを特徴とするため、既存笠木展示部及び新設笠木展示部によって、防水層の改修の際に手すり壁の笠木も改修される様子を示すことができるので、見学者に、バルコニーの床の防水層の改修時に、床の防水層だけではなく、バルコニー全体に対しての改修の可能性を示すことができる。
【図面の簡単な説明】
【００１７】
【図１】本発明の一実施形態に係る防水改修展示構造の概略斜視図。
【発明を実施するための形態】
【００１８】
本発明に係る防水改修展示構造は、建築物のバルコニーや屋上等の屋外に面する床に備えられている防水層の改修についての展示を行うために用いられるものである。本発明に係る防水改修展示構造の一実施形態について、以下、図面を参照しつつ説明する。
【００１９】
本実施形態に係る防水改修展示構造１は、住宅のバルコニーの床に備えられた防水層の改修工程を示す展示構造となっており、図１に示すように、基台２と、既存下地展示部３と、下地処理展示部４と、新設防水層展示部５と、床仕上げ展示部６と、手すり壁展示部７と、笠木展示部８と、表示プレート９とを備える。
【００２０】
基台２は、その上に、既存下地展示部３、下地処理展示部４、新設防水層展示部５及び床仕上げ展示部６を設けることができるような部材であり、本実施形態では図１に示すように矩形平板状の部材となっている。基台２の上に各展示部が設けられているため、例えば、防水改修展示構造１の展示場所を変更したい場合等に、基台２の上に各展示部を設置したまま移動させることができるので、容易に展示場所の変更に対応することができる。
【００２１】
既存下地展示部３、下地処理展示部４及び新設防水層展示部５は、既存下地展示部３、下地処理展示部４及び新設防水層展示部５の順番にそれぞれが段階的に露出するようにして、基台２の上に設けられる。既存下地展示部３は、防水層の改修の際に床から撤去すべき部分を撤去した後に露出する既存下地を示し、防水層の改修の際にどこまでを撤去してどこまで残すのかが分かるような展示部となっている。一般的に防水層の改修は新築時または前回の防水層の改修時から１５年程度で行われることが多く、その年月の経過のリアル感を演出するために、既存下地展示部３には、少なくとも表面に汚れや変退色等のエイジング加工が施されていることが好ましい。そして、下地処理展示部４は、既存下地展示部３で示される既存下地に対して、下地処理を施した後の様子を示す。さらに、新設防水層展示部５は、下地処理展示部４で示される下地処理を施した既存下地の上に、新たに形成される新設防水層を示す。既存下地展示部３、下地処理展示部４及び新設防水層展示部５は、それぞれ実際に用いられる実物を用いて構成してもよいし、実物に模した部材を用いてもよい。このように、既存下地展示部３、下地処理展示部４及び新設防水層展示部５は、防水層の改修の際に新しい防水層を形成するまでの工程を示すような展示部となっており、実施される工程の順番に並べて展示されているようになっているので、既存下地展示部３、下地処理展示部４及び新設防水層展示部５を見学することによって、防水層の改修がどのように行われるのか実際に見て体験できるため、見学者に防水層の改修についてより理解を深めてもらうことができる。
【００２２】
本実施形態では、図１に示すように、エイジング加工が施されたシート状の既存下地展示部３が、矩形平板状の基台２の上に敷設される。既存下地展示部３には、防水シートまたは防水シートを模したものが用いられ、既存の防水層として防水シートが敷設されており、その既存防水シートを撤去せずに残したまま、既存防水シートを既存下地とする場合を示す。この時、既存下地展示部３にしわや基台２からの浮き等が出るように敷設するとよりリアル感を演出できる。そして、シート状の下地処理展示部４が、既存下地展示部３の上に敷設される。下地処理展示部４は、既存下地展示部３の全てを覆い隠してしまわないように、既存下地展示部３の一部が露出するように敷設される。下地処理展示部４は、既存下地展示部３の既存防水シートに対して下地処理として洗浄処理を施した様子を示し、下地処理展示部４には、既存下地展示部３と同様の防水シートまたは防水シートを模したものを用いて、既存下地展示部３とは異なりエイジング加工を施さない、または、既存下地展示部３よりも薄くエイジング加工を施す等によって、既存下地展示部３の洗浄後の外観に近づけてもよい。新設防水層展示部５は、絶縁シート展示部５１、ディスク盤展示部５２及び新設防水シート展示部５３により構成されており、防水シートにより防水層を形成するシート防水工法で、防水シートを下地に直接張り付けずに、下地の状態の影響を緩和するための絶縁シートを下地の上に敷設して、絶縁シートに一定間隔でディスク盤を設置し、ディスク盤に対して防水シートを固定するという機械的固定工法によって形成される新たな防水層を示す展示部となっている。絶縁シートを示すシート状の絶縁シート展示部５１が、下地処理展示部４の上に敷設される。絶縁シート展示部５１は、下地処理展示部４の全てを覆い隠してしまわないように、下地処理展示部４の一部が露出するように敷設される。そして、ディスク盤を示す円盤状のディスク盤展示部５２が、絶縁シート展示部５１の上に少なくとも１つ以上設けられる。そして、新しく敷設される防水シートを示すシート状の新設防水シート展示部５３が、絶縁シート展示部５１及びディスク盤展示部５２の上に敷設される。新設防水シート展示部５３は、絶縁シート展示部５１及びディスク盤展示部５２の全てを覆い隠してしまわないように、絶縁シート展示部５１の一部及びディスク盤展示部５２の少なくとも１つが露出するように敷設される。このようにして、図１に示すように、矩形平板状の基台２の長辺方向の一方側から他方側に向かって、既存下地展示部３、下地処理展示部４、絶縁シート展示部５１及びディスク盤展示部５２、並びに新設防水シート展示部５３の順番で、それぞれが段階的に露出するように配置される。従って、既存の防水層として防水シートが敷設されている場合に、既存の防水シートを撤去せずに残し、既存の防水シートを洗浄した後、既存の防水シートの上に絶縁シートを敷設してディスク盤を設置し、ディスク盤に対して新設の防水シートを固定して新たな防水層を形成するという防水層の改修方法についての改修工程を、既存下地展示部３から新設防水シート展示部５３にかけて順番に示すような構成となっている。この本実施形態で展示する改修方法は、既存の防水シートを残すため、撤去費用が抑えられ、工事に要する時間も短くでき、さらに工事中の漏水のリスクを減らすことができるというような様々な利点を有する改修方法となっている。
【００２３】
本実施形態では、既存下地展示部３の上に下地処理展示部４を、下地処理展示部４の上に絶縁シート展示部５１及びディスク盤展示部５２を、絶縁シート展示部５１及びディスク盤展示部５２の上に新設防水シート展示部５３を、それぞれ敷設しているが、それに限らず、防水層の改修の順番にそれぞれが段階的に露出するように配置されていればよい。例えば、既存下地展示部３及び下地処理展示部４を一体の部材を用いて、既存下地展示部３の展示領域にエイジング加工を施すというようにして形成してもよい。また、本実施形態では、既存下地展示部３、下地処理展示部４及び新設防水層展示部５は、既存の防水シートを撤去せずに残したまま、その上から機械的固定工法によるシート防水工法によって新たな防水層を形成する改修方法についての展示部となっているが、それに限らず他の改修方法についての展示部となっていてもよい。
【００２４】
床仕上げ展示部６は、防水層の上に設けられて床の表面を形成する床仕上げ材を示し、基台２の上に設けられる。床仕上げ展示部６は、実際に用いられる床仕上げ材を用いてもよいし、床仕上げ材を模した部材を用いてもよい。本実施形態では、図１に示すように、矩形平板状の基台２の一方の長辺を除く他方の長辺及び両短辺の３辺に沿うようにして、基台２の周縁部に床仕上げ展示部６が設けられている。従って、３方を床仕上げ展示部６によって囲まれた枠内に、既存下地展示部３、下地処理展示部４及び新設防水層展示部５が配置されている形になっている。床仕上げ展示部６によって、床のリアル感を演出することができるので、見学者に防水層の改修についてより具体的に想像してもらいやすくすることができる。また、基台２の一方の長辺側には床仕上げ展示部６を設けていないため、基台２の一方の長辺側から見学者に見学してもらうことによって、既存下地展示部３、下地処理展示部４及び新設防水層展示部５の見学のしやすさも確保することができる。また、本実施形態では、床仕上げ展示部６は、基台２の３辺とも改修後の新たな防水層の上に設けられる床仕上げ材を示すようになっているが、例えば、既存下地展示部３側の基台２の短辺に沿って設けられる床仕上げ展示部６と、基台２の長辺に沿って設けられる床仕上げ展示部６の既存下地展示部３側の一部とにエイジング加工を施す等によって、既存下地展示部３の既存防水シートを露出させる際に撤去される既存の床仕上げ材を示すように構成してもよい。この場合には、既存下地展示部３から新設防水層展示部５にかけて防水層が改修される様子と共に、床仕上げ材も新しくなる様子を展示することができる。また、図１に示すように、床仕上げ展示部６で示す床仕上げ材とはデザイン等の種類の異なる１つまたは複数の改修後の床に用いる床仕上げ材を示す床仕上げ材見本展示部６１を、新設防水シート展示部５３の上に設けるようにしてもよい。これによって、見学者に自宅の防水層の改修後にどのような床の仕上がりになるのか等について様々な可能性を示すことができ、より防水層の改修について興味や理解を深めてもらうことができる。
【００２５】
手すり壁展示部７は、住宅のバルコニーの外周部に設けられる手すり壁を示す部材であり、基台２の側面に設けられ、基台２から略垂直に立ち上がるような形になっている。また、笠木展示部８は、手すり壁の上端部に設けられる笠木を示す部材であり、手すり壁展示部７の上端部に設けられる。手すり壁展示部７及び笠木展示部８は実際に用いられる部材を用いてもよいし、模した部材を用いてもよい。手すり壁展示部７及び笠木展示部８を設けることによって、防水改修展示構造１は住宅のバルコニーを模した形状となっており、住宅では多くの場合にバルコニーが設けられていることから、見学者に自宅のバルコニーを想起させ、防水層の改修についてより具体的に想像してもらいやすくすることができる。本実施形態では、手すり壁展示部７は、図１に示すように、矩形平板状の基台２の２つある短辺側の側面の両方にそれぞれ設けられ、基台２の短辺部から略垂直に立ち上がるような形になっている。そして、２つの手すり壁展示部７の上端部にはそれぞれ笠木展示部８が設けられるが、既存下地展示部３側の基台２の短辺側に設けられた手すり壁展示部７の笠木展示部８には、既存の笠木を示す既存笠木展示部８１が、新設防水シート展示部５３側の基台２の短辺側に設けられた手すり壁展示部７の笠木展示部８には、改修時に新しく設ける笠木を示す新設笠木展示部８２が、それぞれ設けられる。既存笠木展示部８１は、改修前の笠木を示すため、使い古されたような外観であることが好ましく、例えば、セラミックス製の笠木またはセラミックス製の笠木を模した部材に、傷や汚れ等のエイジング加工が施されたものが用いられる。新設笠木展示部８２は、改修によって既存の笠木を撤去して新設する笠木を示し、例えば、アルミ製の笠木またはアルミ製の笠木を模した部材が用いられる。既存笠木展示部８１及び新設笠木展示部８２によって、防水層の改修の際に手すり壁の笠木も改修される様子を示すことができるので、防水改修展示構造１の見学者に、バルコニーの床の防水層の改修時に、床の防水層だけではなく、バルコニー全体に対しての改修の可能性を示すことができる。
【００２６】
表示プレート９は、図１に示すように、既存下地展示部３、下地処理展示部４、新設防水層展示部５、既存笠木展示部８１及び新設笠木展示部８２の各展示部の上または近傍にそれぞれ設けられている。表示プレート９は、薄板状のプレートに各展示部の名称や説明が記載されているもので、各展示部が何を示しているのかを見学者に示すことができるので、見学者は防水改修展示構造１を見ることで、防水層がどのように改修されるかが分かるようになっている。本実施形態では、床仕上げ展示部６が設けられていない基台２の一方の長辺側から防水改修展示構造１を見学するようになっているため、図１に示すように、表示プレート９の記載は、基台２の一方の長辺側から読めるような向きに設けられる。また、床仕上げ展示部６及び手すり壁展示部７に表示プレート９を設けていないのは、本実施形態では改修の際に改修前後の変化を示す展示部となっていないからで、床仕上げ展示部６及び手すり壁展示部７にも表示プレート９を設けるようにしてもよい。また、例えば、改修前の既存のものを示す展示部である既存下地展示部３及び既存笠木展示部８１と、改修過程及び改修後のものを示す展示部である下地処理展示部４、新設防水層展示部５及び新設笠木展示部８２と、で表示プレート９の文字の色やプレートの色を変更する等によって、改修前後でどのように変わるのかをより分かりやすく示すことができる。
【００２７】
以上のように構成される防水改修展示構造１は、住宅に関する展示施設等に設置される際、防水改修展示構造１を見学する側である基台２の一方の長辺側とは反対の他方の長辺側を、展示施設等の壁に突き当てるようにして設置することが好適である。それによって、基台２の他方の長辺側には壁が、そして基台２の両短辺側には手すり壁展示部７が存在するため、見学者に確実に防水改修展示構造１を見学する側である基台２の一方の長辺側から見学してもらえる。また、基台２の他方の長辺側には手すり壁展示部７が設けられておらず、基台２の上に設けられている床仕上げ展示部６より上部の壁が隠されていないので、図１に示すように、見学者が見やすいような任意の高さの壁の位置にポスターＰ等を掲示することができる。ポスターＰには、防水改修展示構造１で示す防水層の改修についてのより詳細な説明や補足的な説明等、例えば、本実施形態の場合は、防水改修展示構造１はシート防水工法による防水層の改修についての展示構造となっているので、防水シートの劣化のメカニズムや、シート防水工法のメリット等の説明や、実際に行われる改修工事の様子を示す写真等を掲載しておく。実際の物が展示された防水改修展示構造１と、その情報が掲載されたポスターＰとの両方を一度に見学することができるので、どちらか一方のみを見学するよりも、両方の相乗的な効果によって、防水層の改修について見学者により理解を深めてもらうことが期待できる。
【００２８】
上記はあくまで本発明に係る防水改修展示構造の一実施形態を示したものであるため、本発明の思想を逸脱しない範囲で適宜変更可能である。
【符号の説明】
【００２９】
１      防水改修展示構造
２      基台
３      既存下地展示部
４      下地処理展示部
５      新設防水層展示部
５１    絶縁シート展示部
５２    ディスク盤展示部
５３    新設防水シート展示部
６      床仕上げ展示部
７      手すり壁展示部
８      笠木展示部
８１    既存笠木展示部
８２    新設笠木展示部
９      表示プレート
Ｐ      ポスター
【図１】
2020046589.tif 000003